(57)【特許請求の範囲】
【請求項１】
躯体開口部と、該躯体開口部の左右方向戸尻側に隣接する戸袋と、該戸袋の屋内側面に沿って躯体開口部と戸袋とのあいだをスライド移動して躯体開口部の開閉移動をするドア体とを備えて構成される引き戸式ドア装置において、ドア体よりも屋内側に、レールユニットと、該レールユニットに走行案内されて躯体開口部と戸袋とのあいだを移動可能な保護パネルとを後付けして設けるにあたり、前記レールユニットは、屋内外方向に対向して走行レールを構成する一対のレール片の一方をそれぞれ備えた第一、第二レール部材で構成される分割型とし、該レールユニットを躯体開口部から戸袋に至るまでの左右方向全域に亘って設ける一方、保護パネルは、下端縁に床面上を走行する戸車を備え、上端縁にレールユニットの走行レールを走行する水平方向回転自在な走行ローラを備えていることを特徴とする引き戸式ドア装置。
【請求項２】
躯体開口部および戸袋の上部には、戸袋と、該戸袋および躯体開口部の上方に配された上部側躯体とを連結するための無目が設けられ、レールユニットの上下端縁は、無目の屋内側面上下端縁と面一状になっていることを特徴とする請求項１記載の引き戸式ドア装置。
【請求項３】
レール片に、走行ローラの抜け止め用突片を設けたことを特徴とする請求項１または２記載の引き戸式ドア装置。
【請求項４】
保護パネルは、ガラス材を備えて構成されていることを特徴とする請求項１乃至３の何れか１記載の引き戸式ドア装置。
【発明の詳細な説明】
【技術分野】
【０００１】
本発明は、商店や公共施設等の建築物の出入り口部等に設けられる引き戸式ドア装置の技術分野に関するものである。
【背景技術】
【０００２】
一般に、引き戸式ドア装置のなかには、躯体開口部を開閉移動するドア体と、ドア体の上端部に設けられる複数の走行体（ローラユニット）と、開口部上方の躯体における屋内外方向一方の面に固定され、走行体を介してドア体をスライド移動自在に吊持するレール体とを備えて構成されたものが知られている。このようなものでは、開口部上方の躯体に覆蓋体を設けて、ドア体のレール体への吊持部等の開閉作動用の部材を覆蓋体（カバー体）により覆蓋して、ドア体以外の部材が外部に露出しないようにすることが提唱されている。
【先行技術文献】
【特許文献】
【０００３】
【特許文献１】特開２００６−３２２２３４号公報
【発明の概要】
【発明が解決しようとする課題】
【０００４】
ところで、前記従来のものにおいて、ドア体は屋内外方向一方の空間において剥き出しの状態であるため、ドア体のスライド開閉作動の過程で、戸尻側躯体の近傍に近付いた人や物体がドア体に当接することが想定される。特に、従来のもののように、走行体に駆動装置が連動連結され、通行者が躯体開口部に近付いたことの検知で自動的にドア体が開閉作動するように構成したものでは、開閉作動するドア体が人や物体に当接するような事態が発生しやすいと考えられる。そこで、戸尻側躯体に沿って保護パネルを設けて、戸尻側躯体と保護パネルとのあいだにおいてドア体が開閉作動するよう構成し、開閉移動するドア体が人や物体に当接するのを防止するとともに、前記保護パネルを開口部側へ移動自在に構成して、戸尻側躯体と保護パネルとのあいだ（戸袋内）の隙間に入り込んだゴミ等を取出す清掃作業や、戸尻側躯体の払拭清掃等ができるようにしたものが提唱されている。
ところで、戸尻側躯体に対向して設けられる保護パネルを開口部側に移動自在に設けるためには、保護パネル専用の走行レールが必要となり、設置当初から保護パネルを設ける構成であれば、ドア体用のレール体と保護パネル用の走行レールとの両者を並列して設け、これら両方のレールを覆うように覆蓋体を設ければ意匠性のよいものにすることができる。しかるに、既に設置されている引き戸式ドア装置に保護パネルを移動自在に設ける場合では、保護パネルと保護パネル用の走行レールとを後付けすることになり、走行レールを既に設置されている覆蓋体に設けるにあたり、容易に後付けでき、しかも、意匠性、メンテナンス性にも優れた走行レールを提供することが要求され、ここに本発明の解決すべき課題がある。
【課題を解決するための手段】
【０００５】
本発明は、上記の如き実情に鑑みこれらの課題を解決することを目的として創作されたものであって、請求項１の発明は、躯体開口部と、該躯体開口部の左右方向戸尻側に隣接する戸袋と、該戸袋の屋内側面に沿って躯体開口部と戸袋とのあいだをスライド移動して躯体開口部の開閉移動をするドア体とを備えて構成される引き戸式ドア装置において、ドア体よりも屋内側に、レールユニットと、該レールユニットに走行案内されて躯体開口部と戸袋とのあいだを移動可能な保護パネルとを後付けして設けるにあたり、前記レールユニットは、屋内外方向に対向して走行レールを構成する一対のレール片の一方をそれぞれ備えた第一、第二レール部材で構成される分割型とし、該レールユニットを躯体開口部から戸袋に至るまでの左右方向全域に亘って設ける一方、保護パネルは、下端縁に床面上を走行する戸車を備え、上端縁にレールユニットの走行レールを走行する水平方向回転自在な走行ローラを備えていることを特徴とする引き戸式ドア装置である。
請求項２の発明は、躯体開口部および戸袋の上部には、戸袋と、該戸袋および躯体開口部の上方に配された上部側躯体とを連結するための無目が設けられ、レールユニットの上下端縁は、無目の屋内側面上下端縁と面一状になっていることを特徴とする請求項１記載の引き戸式ドア装置である。
請求項３の発明は、レール片に、走行ローラの抜け止め用突片を設けたことを特徴とする請求項１または２記載の引き戸式ドア装置である。
請求項４の発明は、保護パネルは、ガラス材を備えて構成されていることを特徴とする請求項１乃至３の何れか１記載の引き戸式ドア装置である。
【発明の効果】
【０００６】
請求項１の発明とすることにより、引き戸式ドア装置に保護パネルとレールユニットとを意匠性よく後付けできるうえ、後付けする作業が簡単、かつ、容易なうえ、メンテナンス性にも優れたものにできる。
【図面の簡単な説明】
【０００７】
【図１】引き戸式自動ドア装置の屋内側からの正面図である。
【図２】図１の右半部の引き戸式自動ドア装置の要部を説明する一部切欠き拡大正面図である。
【図３】図１における一部を切欠いた横断面図である。
【図４】引き戸式自動ドア装置の構成を説明する縦断面図である。
【図５】図４の要部を拡大した分解図である。
【図６】図４の要部拡大図である。
【図７】図７（Ａ）は第二の実施の形態の引き戸式自動ドア装置における要部拡大縦断面図、図７（Ｂ）は参考例の引き戸式自動ドア装置における要部拡大縦断面図である。
【発明を実施するための形態】
【０００８】
以下、本発明の実施の形態について、図面に基づいて説明する。
図面において、１は建築物の開口部に設けられた引き戸式自動ドア装置であって、本実施の形態では、図１に示すように、左右一対の引き戸式自動ドア装置１が左右方向に並設されており、これら各引き戸式自動ドア装置１を構成するドア体２同士は、それぞれ同期し、かつ、左右対称状に左右方向にスライド移動するように構成されている。本実施の形態の開口部は、ガラス材で構成される躯体に囲繞されており、開口部の戸尻側（左右側部位）に隣接し、各ドア体２の戸袋として機能する左右の戸尻側躯体３もそれぞれガラス材を用いて構成されている。そして、各ドア体２は、それぞれ左右の戸尻側躯体３の屋内側に沿ってそれぞれ配されており、後述するように、戸尻側躯体３の屋内側面に沿ってスライド移動することにより、開口部の半部を閉鎖する全閉姿勢と、戸尻側躯体３に並列して開口部を開放する全開姿勢とに変姿するように構成されている。
【０００９】
前記各引き戸式自動ドア装置１のドア体２は、ガラス材の四周を金属製の框材２ａにより囲繞される構成となっており、図２に示す開口部右側半部に設けられる引き戸式自動ドア装置１のように、上側框材２ａの左右方向二箇所に位置して一対のローラユニット４（本発明の走行体に相当する）が設けられている。これらローラユニット４は、それぞれ支持ブラケット５と、一対のローラ６とにより構成されており、支持ブラケット５は上側框材２ａの上端面に固定される固定片５ａと、該固定片５ａから上方に突出し、一対のローラ６がそれぞれ軸承される軸承片５ｂとを備えて構成されている。さらに、戸先側（右側）の支持ブラケット５の軸承片５ｂには、屋内側に突出する連結片５ｃが形成されている。
また、各ローラユニット４の軸承片５ｂに軸承される一対のローラ６は、それぞれ軸承片５ｂから屋外側に向けて突出する支軸６ａに回転自在に軸承されており、上下方向において回転するように構成されており、外周面には凹部６ｂが形成されている。
【００１０】
一方、左右の戸尻側躯体３、および、開口部の上部には、左右の戸尻側躯体３を構成するガラス材と、該戸尻側躯体３および開口部上方の上部側躯体Ｂを構成するガラス材とを連結する金属製の枠体（無目）７が設けられている。ここで、本実施の形態の枠体７は、左右一対の引き戸式自動ドア装置１の戸袋となる左右の戸尻側躯体３の上部を含む、戸尻側躯体３の対向間一帯に設けられるよう左右方向長尺状に形成されている。
前記枠体７は戸尻側躯体３の上端縁部が嵌入支持される下側支持片部７ａと、上部側躯体Ｂの下端縁部が嵌入支持される上側支持片部７ｂと、これら上下側支持片部７ａ、７ｂの屋外側端縁部同士を連結するべく上下方向に延出する連結片部７ｃとを備えて構成されている。そして、前記連結片部７ｃが本発明の開口部上方の躯体に相当しており、戸尻側躯体３に対し屋内外方向略同位置となる位置関係で配設されている。尚、７ｄは、上側支持片部７ｂの屋外側部位を構成する分割枠材であって、該分割枠材７ｄは、上側支持片部７ｂに上部側躯体Ｂを嵌入した後に組込まれるように構成されている。
【００１１】
そして、枠体７の上下方向に延出する連結片部７ｃの屋内側面に、左右の引き戸式自動ドア装置１のレール体に相当する第一走行レール８が左右方向に並列して設けられている。前記第一走行レール８は、連結片部７ｃに固定される固定片８ａと、該固定片８ａから屋内側に突出する突出片８ｂとにより構成されており、該突出片８ｂの突出端部に上方に膨出するレール片８ｃが形成されている。そして、第一走行レール８のレール片８ｃに前記ローラユニット４の各ローラ６外周面の凹部６ｂを上側から外嵌せしめることにより、それぞれのローラ６がレール片８ｃに対して抜止め状に支持され、これによって、各ドア体２は、第一走行レール８にスライド移動自在に吊持され、戸尻側躯体３の屋内側面に沿う状態で開口部を開閉移動するように構成されている。
この吊持状態において、枠体７の下端縁部はドア体２の上側框材２ａの上端部に対向しており、枠体７により上側框材２ａとローラユニット４との連結部位であるドア体２の吊持部およびその上方部位が覆われて屋外側から目視されないように構成されている。
さらに、２ｂはドア体２の下側框材２ａの下端面から下方に向けて突出配設される振れ止め体であって、該振れ止め体２ｂは、下端部が床面に埋設されたガイド溝部Ｇにスライド移動自在に嵌入するように構成されている。また、２ｃはドア体２の全閉姿勢でドア体２を施錠する施錠具である。
【００１２】
さらに、前記枠体連結片部７ｃの左右両端部であって、各ドア体２の戸尻側部位にはモータ支持部７ｅがそれぞれ一体的に形成されており、これらモータ支持部７ｅに、駆動装置を構成する電動モータを備えた開閉機９がそれぞれ固定されている。前記各開閉機９は、屋内側に向けて突出する出力軸に駆動スプロケット９ａが連動連結されている。さらに、枠体７の左右方向中間部であって、全閉姿勢の各ドア体２の戸先上方に位置して従動スプロケット９ｂがそれぞれ軸承されており、それぞれ対応する駆動スプロケット９ａと従動スプロケット９ｂとのあいだに動力伝導体（例えば作動チエン）９ｃが懸回されている。そして、前記各動力伝動体９ｃは、各ドア体２の戸先側に位置するローラユニット４の連結片５ｃにそれぞれ連動連結されている。そして、左右の開閉機９の駆動に伴う対応する駆動、従動スプロケット９ａ、９ｂの回転により、動力伝動体９ｃが左右方向に変位するように構成されており、該動力電動体９ｃの変位に追随する状態で戸先側のローラユニット４が強制的に移動してドア体２を開閉移動せしめるように構成されている。これによって、開口部上方の屋内外（枠体連結片部７ｃの屋外側面、および、後述するレールユニットＲの屋内側面）に設けたセンサＤからの信号を受けて各開閉機９が駆動した場合に、各ドア体２が互いに同期し、かつ、左右対称となる状態で、第一走行レール８に沿ってスライド移動して開口部の開閉をするように構成されている。
【００１３】
そして、枠体連結片部７ｃに設けられる第一走行レール８、開閉機９等の駆動部材を覆うようにカバー体１０が配されるが、カバー体１０は左右方向長尺状の平板状体で形成されており、上端部に上方に突出する第一係止片１０ａと屋外側に突出する第二係止片１０ｂとが形成されている。そして、これら第一、第二係止片１０ａ、１０ｂを、枠体７の上側支持片部７ａの屋内側端縁部に形成された第一、第二係止受け片７ｆ、７ｇにそれぞれ嵌入、係止するように組込むことにより、カバー体１０は、連結片部７ｃに平行となる状態で枠体７に支持されるように構成されている。
尚、カバー体１０は、枠体７の第一、第二係止受け片７ｆ、７ｇに嵌入、係止する構成であり、屋内側には第一係止受け片７ｆとカバー体１０とが露出しており、これら第一係止受け片７ｆとカバー体１０とが本発明の覆蓋体に相当している。そして、カバー体１０の下端縁部１０ｃは、ドア体２の上側框材２ａの上端部に対向するように設定されており、第一係止受け片７ｆとカバー体１０とにより、上側框材２ａとローラユニット４との連結部位であるドア体２の吊持部、さらには、ドア体２の開閉作動に必要な駆動部材が覆われて屋内側から目視されないように構成されている。
【００１４】
そして、前記左右一対の引き戸式自動ドア装置１には、左右の躯体側部材３とともに各ドア体２の戸袋として機能する左右一対の保護パネル１１がレールユニットＲとともに後付けされており、これによって、各保護パネル１１は、それぞれレールユニットＲに沿って移動することにより、開口部側に移動自在となるように構成されている。
前記各保護パネル１１は各ドア体２よりも屋内側に位置して設けられており、各ドア体２が開口部を開放する方向にそれぞれスライド移動して全開姿勢となる場合では、左右の戸尻側躯体３と保護パネル１１とのあいだにそれぞれ引込まれるように構成されている。
前記保護パネル１１は、ガラス材の四周を金属製の框材１１ａにより囲繞される構成となっている。そして、保護パネル１１の上側の框材１１ａに、左右方向二箇所において本発明の走行ローラ１２が設けられている。これら走行ローラ１２は上側框材１１ａの上端面から上方に突出する支軸１２ａに回転自在に軸承されていて、水平方向において回転するように構成されている。
【００１５】
一方、１３は、既設の引き戸式自動ドア装置１に保護パネル１１を設置する際に、既設のカバー体１０に設けられる支持部材であって、該支持部材１３は、前記レールユニットＲをカバー体１０の屋内側面に一体化するための部材となっている。前記支持部材１３は左右方向に長い長尺体に形成されており、カバー体１０の第二係止片１０ｂの下方、即ち、覆蓋体の上下方向中間部に位置し、カバー体１０左右方向の略全域にわたって設けられている。前記支持部材１３は、上下方向に延出してカバー体１０に固定される固定片１３ａと、該固定片１３ａの上端縁部から屋内側に向けて直交状に突出する取付け片１３ｂとにより鉤状に形成されており、固定片１３ａと取付け片１３ｂとのコーナー部の上方には、屋内側が開口する係止凹部１３ｃが一体形成され、取付け片１３ｂの屋内側端縁部には垂下状に突出する突当て固定片１３ｄが一体形成されている。そして、支持部材１３は、固定片１３ａをカバー体１０屋内側面の上下方向中間部に突当てて、屋内側から左右方向複数箇所において螺子１３ｅを螺合することによりカバー体１０に一体的に固定されるように構成されている。
【００１６】
前記レールユニットＲは、前記覆蓋体（枠体７の上端部位である第一係止受け片７ｆおよびカバー体１０）を左右方向全域にわたって覆蓋するよう左右方向長尺状に形成されている。そして、レールユニットＲの下方には、保護パネル１１に設けられた走行ローラ１２が移動自在に走行する第二走行レール（本発明の走行レールに相当する）が形成されている。
前記レールユニットＲは第一、第二レール部材１４、１５とにより分割状に構成されており、第一レール部材１４は覆蓋体、および、覆蓋体に固定された前記支持部材１３に固定され、第二レール部材１５は前記第一レール部材１４に固定されるように構成されている。
【００１７】
前記第一レール部材１４は、下端部に覆蓋体（枠体７の第一係止受け片７ｆとカバー体１０）の下端部に沿って一体化され、第二走行レールを構成する屋外側レール片１４ａが形成されており、該屋外側レール片１４ａの上端部から屋内側に向けて突出する第一連結片１４ｂが形成されている。前記第一連結片１４ｂの突出端縁部には、上方に向けて突出し、ドア体２吊持部（ローラユニット４の第一走行レール８への吊持部）対向部位から覆蓋体の上端縁部までのあいだを覆蓋する上部覆い片１４ｃが形成されている。これによって、第一レール部材１４は、下端部に屋外側レール片１４ａと第一連結片１４ｂとにより仕切られて、屋内側が開放するレールスペースＳが形成されている。さらに、前記上部覆い片１４ｃの上部には、支持部材１３の取付け片１３ｂに上側から当接する取付け受け片１４ｄが屋外側に向けて突出形成されている。
【００１８】
そして、第一レール部材１４は、取付け受け片１４ｄの突出先端部を支持部材１３の係止部１３ｃに嵌入係止させるとともに、上部覆い片１４ｃと取付け受け片１４ｄとにより形成されるコーナー部内側面を、支持部材１３の取付け片１３ｂと突当て固定片１３ｄとにより形成されるコーナー部外側面に宛てがうことにより、屋外側レール片１４ａがカバー体１０下端部の屋内側面に沿って突当たり、第一レール部材１４が支持部材１３に対して仮保持状に組込まれるように構成されている。そして、この組込み状態において、第一レール部材１４の取付け受け片１４ｄと支持部材１３の取付け片１３ｂとの積層部に対し上方から螺子１４ｅを螺合し、上部覆い片１４ｃの突当て固定片１３ｄへの突当て部、さらには、屋外側レール片１４ａのカバー体１０下端部への突当て部に対し、それぞれ屋内側から螺子１４ｅを螺合することにより、第一レール部材１４の覆蓋体（カバー体１０および支持部材１３）への一体化がなされるように構成されている。
尚、本実施の形態において、第一レール部材１４をカバー体１０に固定するにあたり、上方部位が支持部材１３に固定されるとともに、下方部位がカバー体１０に固定されるように構成されており、これによって、第一レール部材１４は上下方向に長く形成されたものでありながら、ガタつきなくカバー体１０に固定されている。
さらに、屋外側レール片１４ａの上部には屋外側に突出する突片１４ｆが形成されており、第一連結片１４ｂと突片１４ｆとにより屋内側が開口する係止凹部が形成されている。また、屋外側レール片１４ａの上下方向中間部には屋外側に突出する抜止め用突片１４ｇが形成され、第一連結片１４ｂの屋内側端部には、上方に退避する位置決め凹部１４ｈが形成されている。
【００１９】
また、第二レール部材１５は、第一レール部材１４の下方に形成されるレールスペースＳの屋内側部位を覆蓋し、屋外側レール片１４ａに屋内外方向に対向する屋内側レール片１５ａと、該屋内側レール片１５ａの上端縁部から屋外側に向けて突出し、第一レール部材１４の第一連結片１４ｂに下側から積層する第二連結片１５ｂとを備えて構成されている。そして、屋内側レール片１５ａは、屋外側レール片１４ａとともに第二走行レールを構成し、これら互いに対向する屋内外側レール片１５ａ、１４ａの対向面が前記走行ローラ１２の転動面（摺動面）となり、このようにして走行ローラ１２用の第二走行レールが構成されている。さらに、屋内側レール片１５ａの上下方向中間部には、屋外側レール片１４ａの抜止め用突片１４ｇに対向する抜止め用突片１５ｃが屋外側に突出形成されている。また、第二連結片１５ｂの屋内側端部には上方に突出する位置決め片１５ｄが形成されている。
そして、前記第二レール部材１５は、第二連結片１５ｂの屋内側の先端縁部を第一レール部材１４の第一連結片１４ｂと第一突片１４ｆとにより構成される係止凹部に嵌入させるとともに、位置決め片１５ｄを第一レール部材１４の位置決め凹部１４ｈに嵌入させ、第一連結片１４ｂの下方に第二連結片１５ｂを当接状に積層することにより、上部覆い片１４ｃと屋内側レール片１５ａとが面一状に組込まれるように構成されている。
【００２０】
前記第二レール部材１５は、既設の覆蓋体に固定された第一レール部材１４に一体化するが、この場合に、第一レール部材１４の下方部位（レール用スペースＳ）に第二レール部材１５を屋内外方向に対向させ、それぞれの抜止め用突片１４ｇ、１５ｃの上部対向間に、保護パネル１１の走行ローラ１２が抜止め状に保持されるように第二レール部材１５を第一レール部材１４に近接させる。そして、第二レール部材１５の第二連結片１５ｂの屋内側の先端縁部を、嵌入第一レール部材１４の第一連結片１４ｂと第一突片１４ｆとにより構成される係止凹部に嵌入させることにより、第二レール部材１５と保護パネル１１とが第一レール部材１４と床面とのあいだに仮保持されるように構成されている。前記仮保持状態から、第二レール部材１５の位置決め片１５ｄを第一レール部材１４の位置決め凹部１４ｈに嵌入させて、第一連結片１４ｂの下方に第二連結片１５ｂを当接させることにより、上部覆い片１４ｃと屋内側レール片１５ａとが面一状となる組込み状態とする。そして、この組込み状態において、保護パネル１１を屋内外側レール片１５ｃ、１４ａにより構成される第二走行レールに沿って適宜スライド移動させつつ、第一、第二レール部材１４、１５の上下方向の積層部である第一連結片１４ｂと第二連結片１５ｂとに対し、下方から挿入した螺子１５ｅを第一連結片１４ｂに形成されるビスポケット１４ｉに螺着することにより、第一レール部材１４に対して第二レール部材１５が固定され、このようにして、既設の引き戸式自動ドア装置１に保護パネル１１とレールユニットＲとが組込まれるように構成されている。
【００２１】
このような取付け手順に従うことにより、引き戸式自動ドア装置１に保護パネル１１とレールユニットＲとを後付けする作業が、簡単、かつ、容易で、取付け時間の短縮、作業性の向上を図ることができて、コスト低下に寄与することができるように構成されている。
また、第一、第二レール部材１４、１５の組込み工程と逆の工程を実施することで、容易に第一レール部材１４から第二レール部材１５、保護パネル１１を取外すことができ、保護パネル１１、第二レール部材１５のメンテナンス（例えば走行ローラ１２の交換）等の作業を容易に行なえるように構成されている。
【００２２】
そして、前記組込み状態において、引き戸式自動ドア装置１の上部屋内側に配される左右方向長尺状のレールユニットＲを屋内側から目視したとき、第一レール部材１４の上部覆い片１４ｃと第二レール部材１５の屋内側レール片１５ａとが面一状となり、上部覆い片１４ｃが覆蓋体の上部を覆い、屋内側レール片１５ａが下部覆い片となって覆蓋体の下部を覆い、これによって、既設の覆蓋体が上下方向全域にわたって覆われるように構成され、レールユニットＲを後付けしたにもかかわらず、あたかも予め設置された覆蓋体のような意匠となるように構成されている。
さらに、前記第一、第二レール部材１４、１５により構成される屋内外一対の屋内外側レール片５ａ、１４ａの対向間には、左右一対の保護パネル１１の上側框材１１ａが嵌入し、上側框材１１ａの上端面から突出する走行ローラ１２が、屋内外側レール片１５ａ、ｌ４ａの対向面間に設けられた抜止め用突片１５ｃ、１４ｇの上方部に位置するように組込まれている。これによって、各保護パネル１１は、走行ローラ１２が抜止め用突片１５ｃ、１４ｇにより抜け止めされた状態となるように構成されている。
【００２３】
また、レールユニットＲは覆蓋体の長尺方向全域に設けられており、保護パネル１１は、戸尻側躯体３の屋内側に対向する戸袋姿勢から保護パネル１１が開口部側にスライド移動して戸袋を開放する開放姿勢に変姿可能となるように構成されている。これによって、保護パネル１１の戸袋姿勢ではドア体２の開閉作動時における保護が図れ、保護パネル１１の開放姿勢では、戸袋内の清掃や、戸尻側躯体３の払拭作業棟のメンテナンスを容易に行なうことができるように構成されている。
【００２４】
尚、保護パネル１１の下側框材１１ａには左右方向二箇所において戸車１１ｂが設けられている。これら戸車１１ｂは、戸尻側躯体３配設部に対向して床面上に固定された凹溝状のガイド体１６にスライド移動自在にガイドされるように構成されている。さらに、保護パネル１１の戸先側框材１１ａの上下端部にはそれぞれフランス落し錠１１ｃが設けられており、通常の使用状態において、フランス落し錠１１ｃが施錠されていて、保護パネル１１を戸袋姿勢に保持し、戸尻側躯体３とともに戸袋としての機能を維持するように構成されている。
そして、戸袋部の清掃を実施するべく保護パネル１１を開口部側にスライド移動する場合では、フランス落し錠１１ｃを解錠し、保護パネル１１を開口部側に押しやることで開放することができるように構成されている。このとき、保護パネル１１は、戸車１１ｂがガイド体１６および開口部を構成する床面を転動し、かつ、走行ローラ１２が第二走行レールである屋内外側レール片１５ａ、１４ａとの対向面を転動することにより、軽快、かつ、円滑に開放、または、閉鎖操作されるように構成されている。
【００２５】
叙述の如く構成された本形態において、引き戸式自動ドア装置１のドア体２は戸尻側躯体３と、後付けされた保護パネル１１とを戸袋として、これら戸尻側躯体３と保護パネル１０との間から引出されたり、引込まれることにより、ドア体２の開閉作動の過程でドア体２が戸尻側躯体３近傍の人や障害物との当接を回避することができる。さらに、このものでは、レールユニットＲがカバー体１０（覆蓋体）の左右方向全域にわたって設けられていて、保護パネル１１を戸袋姿勢から開口部側に位置する開放姿勢に変姿させることができて、戸袋内の清掃や戸尻側躯体３の清掃を行なうことができる。
そして、保護パネル１１とレールユニットＲとを既設の引き戸式自動ドア装置１に設ける場合に、レールユニットＲは、予め設置されている覆蓋体（枠体７の第一係止受け片７ｆとカバー体１０）の屋内側面全体を第一、第二レール部材１４、１５により面一状になって覆う構成となっていて、意匠性に優れる。しかも、レールユニットＲは第一、第二レール部材１４、１５で構成される分割型となっており、覆蓋体に固定された第一レール部材１４に対し、屋内外側レール片１５ａ、１４ａの対向間に保護パネル１１の走行ローラ１２を組込みつつ、第二レール部材１５を第一レール部材１４に一体化する構成としたので、保護パネル１１とレールユニットＲとを後付けする作業が簡単、かつ、容易となって、作業性の改善が図れる。しかも、一体化する作業とは逆の作業をすることで第二レール部材１５を第一レール部材１４から容易に取外すことができてメンテナンス性にも優れる。
【００２６】
さらに、本発明が実施されたものにあっては、引き戸式自動ドア装置１に保護パネル１１とレールユニットＲとを後付けする場合に、取付け作業が簡単、且つ、容易である上、意匠的にも優れたものになるが、このものでは、ドア体２の駆動部材（開閉機９）が設けられていて覆蓋体（枠体７の第一係止受け片７ｆとカバー体１０）が上下方向に長く形成されている。このため、第一レール部材１４の上部覆い片１４ｃが上下方向に長くなり、カバー体１０との固定部が屋外側レール片１４ａだけであると不安定であるが、このものでは、上部覆い片１４ｃをカバー体１０に固定された支持部材１３を介して覆蓋体に固定する構成としたので、ガタつくことなく安定した固定状態とすることができる。
【００２７】
尚、本発明は前記実施の形態に限定されないことは勿論であって、既設の引き戸式ドア装置に保護パネルおよびレールユニットを設ける場合に、引き戸式ドア装置には種々の仕様があり、覆蓋体の上下方向長さが一定であるが、枠体とカバー体との連結位置、連結形状が仕様によってそれぞれ異なる場合がある。これに対し、本発明が実施されたレールユニットの第一レール部材は、下端部に形成された屋内外方向一方のレール片を覆蓋体に固定する構成となっているうえ、上下方向中間部において支持部材に支持される構成となっている。この結果、枠体とカバー体との連結状態（連結位置、連結形状）にかかわらず、どのような仕様の引き戸式ドア装置に対しても第一、第二レール部材、さらには、支持部材をそのまま用いて後付けすることが可能である。
因みに、図７（Ａ）に第二の実施の形態を示すが、このものでは、枠体１７とカバー体１８との連結構成が、枠体１７の屋内側片１７ａとカバー体１８の上端部とを屋内外方向に積層し、該積層部を螺子１８ａにより螺着する構成であり、これ以外の構成は前記第一の実施の形態と同様となっている。尚、第一の実施の形態と同様の部材構成については、同様の符号を付すことにより説明を省略する。そして、このものでも、第一の実施の形態のレールユニットＲ（第一、第二レール部材１４、１５）をそのまま用いることで、保護パネル１１を開口部側に移動自在に後付けすることができる。
また、本発明の実施の形態には、躯体開口部を開閉移動するドア体と、ドア体の上端部に設けられる複数の走行体と、開口部上方の躯体における屋内外方向一方の面に固定され、走行体を介してドア体をスライド移動自在に吊持するレール体と、ドア体の吊持部を前記一方から覆う覆蓋体とを備えてなる既設の引き戸式ドア装置に、戸尻側躯体とともに戸袋を構成する保護パネルを、ドア体の開閉方向にスライド移動自在に設けるにあたり、保護パネルの上端部に複数の走行ローラを設ける一方、該走行ローラが走行する屋内外方向に対向する一対のレール片が下方に形成されたレールユニットを覆蓋体に設ける構成とし、前記レールユニットを、屋内外方向他方のレール片と該他方側レール片から一方に向けて突出する第一連結片と該第一連結片の突出端部から上方に突出して覆蓋体の上部を覆う覆い片とを備え、前記他方側レール片が覆蓋体に固定される第一レール部材と、屋内外方向一方のレール片と該一方側レール片から他方に向けて突出する第二連結片とを備えた第二レール部材とにより構成される分割型とし、覆蓋体に固定される第一レール部材に対する第一レール部材の固定は、屋内外側レール片のあいだに保護パネルの走行ローラを組込んで、覆い片と屋内外方向一方のレール片とを面一状とするとともに、第一連結片の下方に第二レール部材の第二連結片を積層し、第二連結片側から挿入した螺子を第一連結片に形成されたビスポケットに螺合するようにしたことを特徴とする引き戸式ドア装置が含まれる。
この場合に、第一レール部材の覆い片は、覆蓋体に固定された支持部材に固定されていることも含まれる。
【００２８】
尚、図７（Ｂ）に参考例を示すが、該参考例のものは、第一の実施の形態の引き戸式自動ドア装置１に対し、第一の実施の形態と同様の保護パネル１１を設けるにあたり、カバー体１０を取外して走行レールが形成されたレールユニットＲＳを取付ける構成したものである。
前記レールユニットＲＳは、第一、第二レール部材１９、２０を用いて構成されており、第一レール部材１９は、屋外側レール片１９ａと第一連結片１９ｂと上部覆い片１９ｃとを備えるとともに、屋内側レール片１９ａの上端縁から上方に突出してドア体２の吊持部の上方を覆蓋する覆蓋片１９ｄが形成され、該覆蓋片１９ｄと上部覆い片１９ｃとの上部が直交片１９ｅにより一体的に連結されたものとなっている。そして、覆蓋片１９ｄの上端部には第一、第二係止片１９ｆ、１９ｇが形成されており、これら第一、第二係止片１９ｆ、１９ｇが枠体７の第一、第二係止受け片７ｆ、７ｇに嵌入、係止することにより、第一レール部材１９が枠体７に一体化するように構成されている。一方、第二レール部材２０は前記第一の実施の形態と同様であって、屋内側レール片２０ａ、第二連結片２０ｂが形成されている。
そして、この場合では、カバー体１０を取外して第一レール部材１９を枠体７に直接支持させた後に、第二レール部材２０を、屋内外側レール片２０ａ、１９ａの対向間に保護パネル１１の走行ローラ１２を組込みながら第一レール部材１９に固定することにより、保護パネル１１およびレールユニットＲＳとを簡単、かつ、容易に覆蓋体に組込むことができる。
【産業上の利用可能性】
【００２９】
本発明は、引き戸式のドア装置の戸袋部に、保護パネルを開閉自在に後付けするような場合に利用することができる。
【符号の説明】
【００３０】
１  引き戸式自動ドア装置
２  ドア体
３  戸尻側躯体
７  枠体
８  第一走行レール
９  開閉機
１０  カバー体
１１  保護パネル
１２  走行ローラ
１３  支持部材
１４  第一レール部材
１４ａ  屋外側レール片
１４ｂ  第一連結片
１４ｃ  上部覆い片
１５  第二レール部材
１５ａ  屋内側レール片
１５ｂ  第二連結片
【図１】
0005461246.tif 000002
【図２】
0005461246.tif 000003
【図３】
0005461246.tif 000004
【図４】
0005461246.tif 000005
【図５】
0005461246.tif 000006
【図６】
0005461246.tif 000007
【図７】
0005461246.tif 000008